(57)【要約】【課題】折板屋根材にかかる大きな負圧による変形を防止し、折板屋根材の取付強度を高め、且つ施工しやすくて屋根の外観が損なわれないようにすることができる折板屋根材用吊子を提供する。【解決手段】屋根下地に固定される固定部１と、固定部１から上方に突出する立設部２と、立設部２から側方に突出する係止部３と、係止部３から下方に突出する爪部４とを備える。補強リブ５が立設部２と係止部３との交差部に内方に向かって突設される。補強リブ５により立設部２に対する係止部３の変形を少なくすることができる。補強リブ５が爪部４には形成されていないため、ハゼ締めの際に爪部４を容易に折り曲げることができる。ハゼ締め後の折板屋根材と補強リブ５とが接触しないようにすることができる。【選択図】図１
2011074723.tif 000002
【特許請求の範囲】
【請求項１】
屋根下地に固定される固定部と、固定部から上方に突出する立設部と、立設部から側方に突出する係止部と、係止部から下方に突出する爪部とを備え、補強リブが立設部と係止部との交差部に内方に向けて突設されて成ることを特徴とする折板屋根材用吊子。
【請求項２】
固定部と立設部との交差部に補強リブが形成されて成ることを特徴とする請求項１に記載の折板屋根材用吊子。
【請求項３】
折板屋根材を係止するための係止突起が立設部に形成されて成ることを特徴とする請求項１又は２に記載の折板屋根材用吊子。
【発明の詳細な説明】
【技術分野】
【０００１】
本発明は、折板屋根材をタイトフレームなどに連結するために用いられる吊子に関するものである。
【背景技術】
【０００２】
従来より、折板屋根材用吊子Ａ（以下、吊子Ａと略することがある）を用いて折板屋根材を施工することが行われているが、その強度を向上させるために補強リブを設けたものが提案されている（例えば、特許文献１参照）。図１１に示す吊子Ａは、略平板状の固定部１と、固定部１から略垂直上方に突出する立設部２と、立設部２の上端から固定部１と反対側に略垂直に突出する係止部３と、係止部３の先端から斜め下方に突出する爪部４とを備えて形成されている。また、吊子Ａには、立設部２の固定部１側の表面と、係止部３の上面と、爪部４の立設部２と反対側の表面とにわたって補強リブ５がプレス加工や絞り加工などにより形成されている。この補強リブ５は立設部２や係止部３の曲げ強度などの強度を高めるものであり、折板屋根材にかかる大きな負圧に対抗して立設部２や係止部３の変形を防止し、折板屋根材の取付強度を高めることができるものである。
【先行技術文献】
【特許文献】
【０００３】
【特許文献１】特開２０００−３２８７２７号公報
【発明の概要】
【発明が解決しようとする課題】
【０００４】
しかし、上記のような従来の吊子Ａでは、爪部４が補強リブ５で補強されているために、ハゼ締めする際に爪部４が折り曲げにくくなって、施工しにくいという問題があった。また、補強リブ５がハゼ締めにより接続された折板屋根材の裏面に圧接するために、折板屋根材と爪部４や係止部３や立設部２との間に補強リブ５の厚み分の隙間が生じることがあり、この隙間が水の浸入路となって水密性が低下するおそれがあった。さらに、補強リブ５の圧接痕が折板屋根材の表面に発生して屋根の外観が損なわれることがあった。
【０００５】
本発明は上記の点に鑑みてなされたものであり、施工しやすく、水密性を維持することができ、屋根の外観が損なわれないようにすることができる折板屋根材用吊子を提供することを目的とするものである。
【課題を解決するための手段】
【０００６】
本発明の請求項１に係る折板屋根材用吊子Ａは、屋根下地８に固定される固定部１と、固定部１から上方に突出する立設部２と、立設部２から側方に突出する係止部３と、係止部３から下方に突出する爪部４とを備え、補強リブ５が立設部２と係止部３との交差部に内方に向けて突設されて成ることを特徴とするものである。
【０００７】
本発明の請求項２に係る折板屋根材用吊子Ａは、請求項１において、固定部１と立設部２との交差部に補強リブ６が形成されて成ることを特徴とするものである。
【０００８】
本発明の請求項３に係る折板屋根材用吊子Ａは、請求項１又は２において、折板屋根材９を係止するための係止突起７が立設部２に形成されて成ることを特徴とするものである。
【発明の効果】
【０００９】
請求項１の発明では、補強リブ５により立設部２に対する係止部３の変形を少なくすることができ、折板屋根材９の取付強度を高めることができるものである。また、補強リブ５が爪部４には形成されていないため、ハゼ締めの際に爪部４を容易に折り曲げることができ、施工が行いやすくなるものである。さらに、補強リブ５は立設部２と係止部３との交差部に内方に向けて突設されるため、ハゼ締め後の折板屋根材９と補強リブ５とが接触しないようにすることができ、折板屋根材９と爪部４や係止部３や立設部２との間に補強リブ５による隙間が生じないようにすることができ、ハゼ締め部分の水密性を維持することができるものであり、しかも、折板屋根材９の表面に補強リブ５による圧接痕が生じなくて屋根の外観が損なわれないようにすることができるものである。
【００１０】
請求項２の発明では、補強リブ６により固定部１に対する立設部２の変形を少なくすることができ、折板屋根材９の取付強度を高めることができるものである。
【００１１】
請求項３の発明では、折板屋根材９を係止突起７に係止することができ、折板屋根材９の取付強度を高めることができるものである。
【図面の簡単な説明】
【００１２】
【図１】本発明の実施の形態の一例を示す斜視図である。
【図２】同上の（ａ）は平面図、（ｂ）は正面図、（ｃ）は側面図である。
【図３】タイトフレームの一例を示す正面図である。
【図４】同上の施工工程を示し、（ａ）〜（ｄ）は概略図である。
【図５】同上の折板屋根材の一例を示す斜視図である。
【図６】同上の施工途中を示し、（ａ）〜（ｃ）は一部の断面図である。
【図７】同上の折板屋根材の施工状態を示す断面図である。
【図８】同上の他の実施の形態の一例を示す斜視図である。
【図９】同上の（ａ）は平面図、（ｂ）は正面図、（ｃ）は側面図である。
【図１０】（ａ）は同上の施工状態を示す一部の断面図、（ｂ）は係止突起の他例を示す断面図、（ｃ）は係止突起のさらに他例を示す断面図である。
【図１１】従来例を示し、（ａ）は正面図、（ｂ）は平面図、（ｃ）は側面図である。
【発明を実施するための形態】
【００１３】
以下、本発明を実施するための形態を説明する。
【００１４】
本発明の折板屋根材用吊子Ａは、曲げ加工やプレス加工等により鉄板や鋼板などの金属板を加工して形成することができる。この場合、金属板の厚みは０．８〜３ｍｍ程度のものを用いることができるが、これに限定されるものではない。また、金属板としては塗装鋼板やめっき鋼板などを用いても良い。
【００１５】
図１、２に示すように、吊子Ａは、固定部１と立設部２と係止部３及び爪部４を一体的に備えて形成されている。固定部１は略平板状に形成されると共に平面視で略台形状に形成されている。また、固定部１の略中央部には上下面に貫通する取付孔２０が設けられている。立設部２は略平板状に形成されており、固定部１の一側端部（長辺側の側端部）から上方に向かって略垂直に突出するように屈曲して形成されている。立設部２は固定部１の一側端部の略全長にわたって形成されている。係止部３は略平板状に形成されており、立設部２の上端部から固定部１と反対側の側方に向かって略垂直に突出するように屈曲して形成されている。係止部３は立設部２の上端部の略全長にわたって形成されている。爪部４は略平板状に形成されており、係止部３の先端部から立設部２側の斜め下方に向かって突出するように屈曲して形成されている。爪部４は係止部３の先端部の略全長にわたって形成されている。
【００１６】
本発明の吊子Ａには補強リブ５が形成されている。この補強リブ５は立設部２に対する係止部３の変形を防止するためのものであり、立設部２と係止部３との交差部（コーナー部）に内方に向けて三角リブに形成されて突設されている。すなわち、補強リブ５は立設部２と係止部３との交差部の内角側（角度の小さい方の角）に形成されるものであって、立設部２の係止部３側の表面と係止部３の下面との間にわたって突設されている。従って、補強リブ５は係止部３の上面や立設部２の固定部１側の表面には突出しないように形成されている。また、補強リブ５は爪部４には達しないように形成されている。補強リブ５は係止部３の長手方向に沿って略等間隔で複数の箇所に形成されている。また、本発明の吊子Ａには上記とは別の補強リブ６が形成されている。この補強リブ６は固定部１に対する立設部２の変形を防止するためのものであり、固定部１と立設部２の交差部の内方に向けて突設された三角リブとして形成されている。すなわち、補強リブ６は固定部１と立設部２の交差部の内角側に形成されるものであって、固定部１の上面と立設部２の固定部１側の表面との間にわたって突設されている。従って、補強リブ６は固定片１の下面や立設部２の爪部４側の表面には突出しないように形成されている。補強リブ６は立設部２の長手方向に沿って略等間隔で複数の箇所に形成されている。尚、補強リブ５、６の形状は三角リブに限定されるものではなく、その他の任意の形状に形成することができる。
【００１７】
本発明のような吊子Ａを用いて折板屋根材９を施工するにあたっては、次のようにして行う。まず、吊子Ａをタイトフレームなどの屋根下地８に取り付ける。図３に示すように、タイトフレームは従来より折板屋根材の施工の際に用いられているものであって、鋼製などの金属製で厚さ２〜５ｍｍ程度の帯材を折り曲げ加工等することによって、複数の支持山部２２と谷部２３とが交互に繰り返すように形成されるものである。支持山部２２は頂部２２ａと頂部２２ａの両端部から外側方の斜め下方に向かって傾斜する脚部２２ｂとで構成されており、頂部２２ａの略半分は凹部２４として形成されていると共に脚部２２ｂの表面にはリブ２５が突設されている。また、凹部２４の底面にはボルトなどの吊子固定具２６が設けられている。
【００１８】
次に、折板屋根材９を屋根下地８に上側から被せて配置する。折板屋根材９は、図５に示すように、この折板屋根材９は塗装鋼板や亜鉛めっき鋼板などの金属板を折り曲げ加工して形成されるものであって、屋根の傾斜方向（流れ方向）に長尺に形成されるものである。また、折板屋根材９は断面略Ｕ字状に形成されており、平板状の谷部５０と、その両側から斜め上方に向かって突出する山部半体５１、５１とを備えて形成されている。一方の山部半体５１の上部は、谷部５０と反対側に向かって突出する頂部片５２と、頂部片５２の端部に形成された断面略逆Ｕ字状の嵌合部５３とで構成されている。嵌合部５３は頂部片５２の端部から上方に向かって突出する支持片５３ａと、支持片５３ａの上端から略垂直に横方向に突出する挟持片５３ｂと、挟持片５３ｂの先端から下方に向かって突出する屈曲片５３ｃとから構成されている。また、他方の山部半体５１の上部は、谷部５０と反対側に向かって突出する頂部片５２と、頂部片５２の端部から形成された断面略逆Ｌ字状の被嵌合部５４とから構成されている。被嵌合部５４は頂部片５２の端部から上方に向かって突出する支え片５４ａと、支え片５４ａの上端から略垂直に横方向に突出する被挟持片５４ｂとで構成されている。そして、図４（ａ）に示すように、折板屋根材９を屋根の傾斜方向と直交する方向で隣り合う支持山部２２、２２の間に位置させるようにして、屋根下地８に上側から折板屋根材９を被せて配置する。
【００１９】
次に、図４（ｂ）に示すように、屋根下地８に吊子Ａを取り付ける。このとき、図６（ａ）に示すように、屋根下地８に配置した上記折板屋根材９の被嵌合部５４の被挟持片５４ｂに吊子Ａの係止部３と爪部４の間を差し込む。また、屋根下地８の凹部２４の底面に吊子Ａの固定部１を載置し、取付孔２０に吊子固定具２６を下側から差し込み、この後、図４（ｃ）に示すように、吊子固定具２６にナット等の締結具２７を締め付けることによって、吊子Ａを屋根下地８に取り付けると共にこの吊子Ａで折板屋根材９を屋根下地８に係止して取り付ける。
【００２０】
次に、図４（ｄ）に示すように、屋根下地８に配置した上記折板屋根材９に隣接させて他の折板屋根材９を屋根下地８に上側から被せて配置する。このとき、図６（ｂ）に示すように、新たに配置する折板屋根材９の嵌合部５３を既設の折板屋根材９の被嵌合部５４に上側から嵌め込む。これにより、上記吊子Ａが新たに配置した折板屋根材９で覆われることになる。この後、嵌め合わされた嵌合部５３と被嵌合部５４とを嵌合した後にハゼ締めすることにより、隣接する折板屋根材９、９の山部半体５１、５１同士を連結し、隣接する折板屋根材９、９を接続することができる。また、図７に示すように、連結された山部半体５１、５１からなる山部５５と谷部５０とが交互に繰り返した折板屋根となる。ここで、ハゼ締めはシーマーなどのハゼ締め機を用いて、図６（ｃ）に示すように、嵌合部５３の屈曲片５３ｃを上方に向かって折り曲げることにより、屈曲片５３ｂと挟持片５３ｃとの間に被挟持片５４ｂを挟持するようにして行うものである。
【００２１】
そして、ハゼ締めの際の屈曲片５３ｂの折り曲げに伴って、爪部４も上方に向かって折り曲げられることになるが、本発明の吊子Ａでは爪部４や爪部４から係止部３にわたって補強リブ５が形成されていないために、爪部４の折り曲げを容易に行うことができ、施工が行いやすくなるものである。また、補強リブ５は立設部２と係止部３との交差部に内方に向かって突設されるため、施工後の折板屋根材９と補強リブ５とが接触しないようにすることができ、従って、折板屋根材９と爪部４や係止部３との間に補強リブ５に起因する隙間が生じないようにすることができ、水密性の低下を防止することができると共に、折板屋根材９に補強リブ５の圧接痕（凹みやキズつきなど）が生じないようにすることができる。また、補強リブ５により立設部２に対する係止部３の変形を少なくすることができると共に補強リブ６により固定部１に対する立設部２の変形を少なくすることができ、折板屋根材９の取付強度を高めることができるものである。
【００２２】
図８、９に他の実施の形態を示す。この吊子Ａでは立設部２の側面１０に係止突起７を形成したものであって、その他の構成は図１のものと同様である。この係止突起７は立設部２の長手方向と略平行に並んで複数個形成されている。また、係止突起７は立設部２の両方の側面１０に突出しており、例えば、プレス加工により形成することができる。
【００２３】
この吊子Ａも上記と同様にしてハゼ締めにより隣接する折板屋根材９、９を接続しながら屋根下地８に取り付けるものであるが、さらに、図１０（ａ）に示すように、折板屋根材９の支持片５３ａと支え片５４ａの一部を段状に曲げ加工することによって、係合部１１を形成し、この係合部１１を上記係止突起７の下面に係止することによって、折板屋根材９を吊子Ａに強固に取り付けることができるものである。
【００２４】
尚、係止突起７は立設部２の片方の側面１０にのみ形成しても良く、この場合、図１０（ｂ）に示すように、立設部２の外面（固定部１側の側面１０）に係止突起７を形成するのが好ましい。また、係止突起７の形状は特に限定されることなく、例えば、図１０（ｃ）に示すように、断面略三角形に形成することもできる。
【符号の説明】
【００２５】
１  固定部
２  立設部
３  係止部
４  爪部
５  補強リブ
６  補強リブ
７  係止突起
８  屋根下地
９  折板屋根材
【図１】
2011074723.tif 000003
【図２】
2011074723.tif 000004
【図３】
2011074723.tif 000005
【図４】
2011074723.tif 000006
【図５】
2011074723.tif 000007
【図６】
2011074723.tif 000008
【図７】
2011074723.tif 000009
【図８】
2011074723.tif 000010
【図９】
2011074723.tif 000011
【図１０】
2011074723.tif 000012
【図１１】
2011074723.tif 000013